(57)【要約】      （修正有）【課題】さまざまな大きさのワークを常に最適な方向や、角度から磨いたり、削ったりの作業が出来る様に固定可能で、なおかつできるだけ作業机等の上面の低い位置に安定した安全な作業が出来る様し、最適な方向や、角度で固定する為に、最も作業性の良い位置で締める、緩めるの操作が出来、最適な締め付け力を得られる様な構造にした補助作業台の提供。【解決手段】自在台へワークを保持するための磁石を取付け、そこへワークを付けられるようにした。又、ハウジングAの中にある、自在回転球３を押し上げる為の、クランピングピース７を、クランプレバー８で締めこむことにより、わずかな力で目的を達成する様にした。【選択図】図１
0003107864.tif 000002
【実用新案登録請求の範囲】
【請求項１】
３次元方向に自在に回転し、任意の位置で必要に応じた強さで固定出来る自在台と、磁石を連結することで、さまざまな広範囲な大きさの鉄製部品を、作業台上の最適位置や角度にワンタッチで固定できる、補助作業台。
【請求項２】
セレーションのかみ合わせによって任意角度に設定できる構造を有するクランプレバーと、球面体と、これを締め付ける為のスライド駒と、これらを格納するハウジングの構造の組み合せにより、極めてコンパクトな構造な装置で、なおかつちいさな締め付け動作と、軽微な力で最適位置、最適角度、最適強度に、固定できる、補助作業台。
【考案の詳細な説明】
【考案の開示】
【考案が解決しようとする課題】
【０００１】
補助作業台のなかで３次元方向に自在に回転し、任意の位置で固定出来る自在台というものは存在したが、万力で部品を掴む様になっている為にその万力の口開き範囲の物しか取付けることが出来ないという問題がある。
【０００２】
補助作業台のなかで３次元方向に自在に回転し、任意の位置で固定出来る自在台というものは存在したが、その角度を固定するのにレバーが一定位置で、その固定力も一定になっている為、作業性が悪く、固定力に可変性がないという問題がある。
【０００３】
さまざまな大きさの部品を着脱するのに、その都度万力のハンドルをまわして締めたり緩めたりしなければならないので、手間がかかるという問題がある。
【０００４】
万力の位置が、回転中心から離れ過ぎていることに加え、固定力が弱い為に剛性がなく、作業時に力を加えると動いてしまい安定性と作業性が悪く、大きくて重量のある物の取付けは出来ない、という問題がある。
【０００５】
構造的に背が高く、万力等の取付け位置が回転中心から離れている為に、顕微鏡や拡大鏡の下に入りにくく、微細な作業が出来ないという問題がある。
【０００６】
構造的に背が高く、万力等の取付け位置が回転中心から離れている為に、作業角度を少し変えるだけで、作業ポイントが大きく移動してしまい、顕微鏡や拡大鏡の下で作業するとき、焦点を合わせ直すのに、わずらわしい動作を頻繁にしなければならないという問題がある。
【課題を解決するための手段】
【０００７】
（０００1）（０００3）の問題点を解決するために、本自在台へ用途に応じた強さ大きさの磁石を連結して、これをワークの取付け媒体にすることで、様々な大きさのワークを固定出来、しかもワンタッチで着脱できる様にするものである。
【０００８】
（０００2）（０００4）の問題点を解決するために、本自在台の特徴である回転中心からのモメントを最小にしたことと、球面体の締め付け方法の考案により作業時に  力を加えても安定した位置決め力を保持出来る様にするものである。
【０００９】
（０００5）（０００6）の問題点を解決するために、自在台の形状を図１の様にして全体の強度を損なうことなく、自在台の背丈を低くおさえたことで、顕微鏡や拡大鏡の下での微細な作業を可能にするものである。
【考案の効果】
【００１０】
本考案のフレキシブル補助作業台を使用することにより、固定位置から極めて低い位置へ部品や材料を取付けることができる為、机等の作業台の上へ直接置いたと同様な安定感が得られると同時に、自由な作業ポジションを得られるので、作業者にとって安全で楽な姿勢で作業が出来る様になるという利点をもたらす。
【００１１】
加えて、着脱と位置決めがワンタッチであるので、作業性が従来の作業方法と比べ格段によくなる。
【考案を実施するための最良の形態】
【００１２】
本考案の自在台を直接、机、作業台、鉄板等へ、万力、ボルト、磁石等で固定して、出来る限り低い位置へワークを取付ける様にする。
【実施例１】
【００１３】
図１は、本考案装置の１実施例の正面図であって、１、２、５は図２と同様である。また、９は自在台本体で、８はクランプレバーである。
【００１４】
８クランプレバーはセレーションでかみ合せたり、はずしたりして自由な角度で使用可能な機構を有した市販のものである。
【００１５】
一般に  １  加工や作業をする為の部品に作業を加えるとき、（例えば、金型等製品部の凹凸の磨きや刃具類の手作業によるメンテナンス等）作業者は加工しようとする溝等を覗き込むために、上体を曲げたり傾けたりしなければならないが、本考案装置を使うことで、姿勢を変えずに、ワークの傾きや位置を手早く簡単に変えることができて、しかも必要に応じた強さで固定できる様にしたものである。
【００１６】
上記により作業の為の光源、視点、姿勢を変えることなく安定した微細作業を可能にすると同時に、長時間の集中作業や安全作業を確保できるので作業効率が飛躍的によくなる。
【実施例２】
【００１７】
図２は、本考案装置の１実施例で自在台部分の断面図であって、４―ハウジングAと、６―ハウジングBに挟まれた、３―自在回転球と、７―クランピングピースのうち、８―クランプレバーを回転させることで、７―クランピングピースを、横方向へ押すことにより、３―自在回転球を、わずかな力で強固に固定する仕組みを表したものである。
【産業上の利用可能性】
【００１８】
ハウジングＢの下へ磁石を取付けて鉄製じょうばんの上に据え付ける。ボルトや万力で鉄板や作業机に据え付ける。等いろいろな物の上で部品や材料を傾けての作業を可能とする。
【００１９】
ワークを保持するための磁石2を万力やクリップと交換すれば彫金、宝飾品、入れ歯の技工等の微細な作業が容易に出来る様になる。
【００２０】
ワークを保持するための磁石の替りにベッドや椅子と交換して、大きな自在台すれば手術台、介護用ベッド、等従来は前後方向の傾きしか調整出来なかったものを、前後左右自由自在に傾けることが出来る様になる。
【図面の簡単な説明】
【００２１】
【図１】自在台とマグネットベースを結合させて、その上にワークを取付けた状態の説明図である。（実施例１）
【図２】自在台のうち自在回転球を固定させる為の構造を断面により示した説明図である。（実施例２）
【符号の説明】
【００２２】
１    加工や作業をする為の部品または材料
２    部品または材料を保持するための磁石
３    自在回転球
４    ハウジングA
５    自在回転球と磁石の連結金具
６    ハウジングB
７    クランピングピース
８    クランプレバー
【図１】
0003107864.tif 000003
【図２】
0003107864.tif 000004
【手続補正書】
【提出日】平成16年7月21日(2004.7.21)
【手続補正１】
【補正対象書類名】実用新案登録請求の範囲
【補正対象項目名】請求項１
【補正方法】変更
【補正の内容】
【請求項１】
３次元方向に自在に回転し、任意の位置で必要に応じた強さで固定出来る自在台と、磁石を連結することで、さまざまな広範囲
な大きさの鉄製部品を、作業台上の最適位置や角度にワンタッチで固定できる、補助作業台であって、前記自在台は、セレーションのかみ合わせによって任意角度に設定できる構造を有するクランプレバーと、球面体と、これを締め付ける為のスライド駒と、これらを格納するハウジングの構造の組み合わせにより、極めてコンパクトな構造な装置で、なおかつちいさな締め付け動作と、軽微な力で最適位置、最適角度、最適強度に、固定できる、補助作業台。
【手続補正書】
【提出日】平成16年10月25日(2004.10.25)
【手続補正１】
【補正対象書類名】実用新案登録請求の範囲
【補正対象項目名】全文
【補正方法】変更
【補正の内容】
【実用新案登録請求の範囲】
【請求項１】
３次元方向に自在に回転し、任意の位置で必要に応じた強さで固定出来る自在台と、磁石を連結することで、さまざまな広範囲
な大きさの鉄製部品を、作業台上の最適位置や角度にワンタッチで固定できる、補助作業台であって、前記自在台は、セレーションのかみ合わせによって任意角度に設定できる構造を有するクランプレバーと、球面体と、これを締め付ける為のスライド駒と、これらを格納するハウジングの構造の組み合わせにより、極めてコンパクトな構造な装置で、なおかつちいさな締め付け動作と、軽微な力で最適位置、最適角度、最適強度に、固定できる、補助作業台。